(57)【特許請求の範囲】
【請求項１】
流体が噴射するように作られた少なくとも一つのオリフィスを有するフロントを具備している流体噴射ヘッドにおいて：
該フロントがその外表面に凸状バルジを有していて、該オリフィスが該バルジを貫通して配置されており、該バルジは該バルジをおおう空気の層流を促進するために滑らかな翼型形状に作られていて、
該バルジが、該バルジの該最外端部の一方側から傾斜している上流側スロープと、該最外端部の対向側から傾斜している下流側スロープとを有していて、さらに、該バルジの該最外端部に垂直な面に対して、該バルジの該上流側スロープはθｕの角度でありかつ該下流側スロープはθｄの角度であって、θｄが４５°未満であり、
θｕが３０°〜５°であり、θｕはθｄより大きい、
ところの流体噴射ヘッド。
【請求項２】
該オリフィスが該バルジの最外端部に配置されているところの請求項１に記載の流体噴射ヘッド。
【請求項３】
該流体噴射ヘッドが、インクジェット式印刷ヘッドとしての役割を果す複数のオリフィスを形成されていて、該複数のオリフィスは、０．０３３mm（０．００１３in）〜０．６１０mm（０．０２４in）の内径と、０．１０２mm（０．００４in）〜０．３８mm（０．０１５in）のピッチとを有しているところの、請求項１に記載の流体噴射ヘッド。
【発明の詳細な説明】
【０００１】
【発明の属する技術分野】
本発明は、流体噴射装置特にほこりや残渣を容易に取り去ることのできる噴射ヘッドの構造に関するものである。本発明における流体噴射ヘッドの例は、インクジェット式プリンタの印刷ヘッドである。
【０００２】
【従来の技術】
インクジェット式プリンタは、文字や画像を描くためにインクを基板上に噴射することにより、基板に画像を作りだしている。あるインクジェット式プリンタは“連続”タイプであって、液滴は、チャージされた状態にある印刷ヘッドのオリフィスを介して連続的に噴射されたインクである。チャージされたインク滴は静電気的に、印刷必要時に基板上へ導入され、印刷不要時には排水溝へ導入される。他のタイプのインクジェット式プリンタは、“オン・ディマンド”型インクジェット式プリンタである。インク滴は選択的に、印刷必要時に印刷ヘッドのオリフィスを介して噴射され、印刷不要時には噴射されない。
【０００３】
インク貯蔵チャンバは通常インク流路を介して印刷ヘッドへ接続されていて、プリンタのヘッドへ一定流量のインクを供給する。適切なインク噴射は、インクとインク噴射ヘッドの流路との間でキャピラリ作用を含んでいて、適切な噴射及び液滴形成の際ヘッド内の適切な位置へインクを位置決めする。従って印刷ヘッド外側の高圧力は望むところではないがインクをヘッド内に逆流させるかもしれなくて、一方プリントヘッド外側の低圧力は望むところではないがインクをヘッド外部へ吸引するかも知れない。インク流路内における物質のビルドアップは表面張力作用に影響を与え、適切な運転を阻害するかも知れない。
【０００４】
従って、もし残渣が、インク滴を噴射するインク噴射オリフィスの表面にたまると、インクは望むところではないが、残渣中にしみ込み、さらなる残渣が蓄積されかつオリフィスにたまってゆくかも知れない。このことがオリフィスにおいて表面を湿潤状態に変え、適正な液滴形成を妨げるかも知れない。極端な状態において、残渣のビルドアップはオリフィスを詰まらせ、印刷を妨げるか又は印刷及び／又はストリーキングを阻害に到らすかも知れない。
【０００５】
あるインクジェット式プリンタは、一万枚又は十万枚のピースが印刷ヘッドを通過する印刷時において、小切手への線引き又は郵便物への消印印刷のような、高速度で多量の用途に使用することができる。そのような多量の枚数のピースの印刷はピースが印刷ヘッドを通過する際ヘッドの近傍において、多量のほこりと残渣を発生することは容易に理解されるであろう。
【０００６】
多数のインク噴射ヘッドはオリフィスを清澄に保つために清掃、掃き取り及び／又は洗浄処理を必要とするべく作られている。しかしながら、これは不要の作業かも知れない。また生産を低下及び／又は中断させるかも知れない。
【０００７】
米国特許第６１９６６５７号はインクジェット式印刷ヘッド用の多流式洗浄方法を開示していて、開示内容を参考として包含するもので、ここに提示いたします。本発明におけるある実施の形態において、アルコール又は酸のような流体洗浄溶液が印刷ヘッドの面を洗浄するために使用されている。
【０００８】
印刷ヘッドをおおっている空気をブロー及び／又は真空引きし、印刷ヘッド面から残渣及びインク液体を除去することも提案されている。例えば、マニホールドプレートは、真空ポートあるいはフィンを作るためにシートメタルを用いてエッチング又は成形されていて、印刷ヘッドオリフィスを横切って空気を導入又は真空引きを行なう。これは、平面形印刷ヘッドと、オリフィスを高くなったステップ構造体により囲んでいるものとの組合せで提案されたものである。しかしながら、構造体はその構造が複雑であるところの効果と耐久性との両面において十分に満足すべきものか証明されていない。
【０００９】
【発明が解決しようとする課題】
従って残渣をより容易に取り去ることができる改善された流体噴射ヘッドを提供するか、又は他の方法で従来技術の欠点に打ち勝つことが望まれている。
【００１０】
【課題を解決するための手段】
すなわち本発明において、改善された流体噴射装置及び流体噴射ヘッドを清澄に保つ方法が提供されている。流体噴射ヘッド面は、そこを介して流体が噴射される一つ以上のオリフィスを含んでいる。オリフィスはヘッド面において凸状リッジを貫通して形成されている。本発明における好適な実施の形態において、オリフィスからヘッド面へのリッジの勾配は一般に一定か又は増加していて、凸形状リッジを提供している。本発明における実施の形態において、空気はリッジをおおってかつオリフィスをおおって流れ、オリフィスからほこりと残渣とを取り去っている。空気流れ、リッジ形状及び印刷を行なう素材の近傍は、オリフィスをおおう空気又は他の気体の層流を提供するべく構成されかつ配置されている。オリフィスからのリッジ下流側は上流側に比較してよりおだやかな勾配を有している。真空ポートを下流側に備えてもよい。
【００１１】
従って本発明における目的は、残渣をより容易に取り去ることができ、従来技術の欠点を克服する、改善された流体噴射ヘッドを提供することである。
【００１２】
従って本発明は、構造と要素の組合せと部品の配列と運転方法とを含んでいて、例示の構造及び方法が後述され、さらに本発明の範囲は特許請求の範囲に示されている。
本発明をより理解するために、添付図面を用いて以下に説明を行なう。
【００１３】
【発明の実施の形態】
本発明の好適な実施の形態における流体噴出装置がプリント装置１００として全体を図１に示す。印刷装置１００は、インク容器１２５へ接続しているインクリザーバ１２０を備えているプリンタ１１０を含んでいる。インクはインク供給ライン１３０から、矢印Ａの方向へ走行している郵便物上に噴射するための、プリントヘッド１５０へ流れる。本発明の一つの実施の形態において、郵便物は約７６．２cm／ｓ（３０in／ｓ）の速度で走行している。
【００１４】
通常の当業者において明らかなように、装置１００は種々の速度で走行している種々のタイプの基板に印刷するために使用されてもよい。郵便物１７０は、印刷ヘッド１５０へ向けて走行し、フェースプレート１８０とペーパガード１９０とにより所定位置へガイドされる。本発明の一つの実施の形態において、ペーパガード１９０は約０．２５４mm（０．０１０in）の厚さである。典型的なフェースガードは一般に約０．０７６〜５．０８mm（０．００３〜０．２０in）の厚さである。ペーパガード１９０には、フェースプレート１８０にも切り欠かれている空気抜きスロット１９５を含んでいる。
【００１５】
空気抜きスロット１９５は以下のことを保証するために備えられている。
１）オリフィス孔周囲の局所圧力が大気圧と大差ないこと。
２）インクからの溶剤蒸気が印刷ヘッドの周囲にビルドアップされず、オリフィスプレート前面に湿潤状態を作り出すこと。
３）紙くず繊維がフェースプレートにおけるポケットにたまらないこと。
４）郵便物が、プレート真近でより多くの空気を吸引可能であって、かつプレートを横切る空気の層流を維持すること。
５）長い郵便物又は機械停止のような条件による、いずれの局所圧力ビルドアップが空気をとどめるようになっていること。
６）ラベル材料における湿ったインクがこすることにより不鮮明にならないような間隙であること。
７）凸状郵便物又は折り曲るか若しくは先端が破損した郵便物用の機械的逃げ面が備えられていて、備えなければ印刷ヘッド（もしそこにあれば）が印刷ヘッド周囲により大きな印刷ギャップを作り、かつ印刷品質に悪影響を及ぼした後に、それらの郵便物はフェースプレートにより押し出される。
８）カールしたあるいはルーズなラベルの機械的逃げ面が備えられていること。
９）ラベル接着剤が、後続する郵便物の送り込みの問題を発生する、ビルドアップを表面上で生じないこと。
【００１６】
図１における印刷ヘッド１５０の詳細“２”部分の拡大図２において、印刷ヘッド１５０は、複数のオリフィス２２０が貫通して配列されているオリフィスプレート２００を有している。本発明の他の実施の形態におけるオリフィスプレートは使用目的に応じて、単一列又は二列又は千鳥配列に構成された、一つ以上のオリフィスが形成されていてもよい。一列の、十六〜百二十八行、一般に三十二〜六十四のオリフィスがよく使用されている。本発明の好適な実施の形態において、約２．５４cm（１in）当り約７０〜１４０のオリフィスがある。各オリフィスは約０．０３３〜０．６１０mm（約０．００１３〜０．０２４in）の内径で、約０．１０２〜０．３８１mm（約０．００４〜０．０１５in）のピッチを有している。本発明における一つの実施の形態において、オリフィスは約０．０５１mm（約０．００２in）内径を有している。オリフィス開口部は、インクをはじく種々のシリコン表面処理剤のような材料でコーティングされていて、適正な液滴形成を促進し、かつオリフィスプレートの外表面にインクがたまることを防止している。例として、General Magneplate社のNedox SF-2プロセスによる、約０．００５〜０．０１３mm（０．０００２〜０．０００５in）のコーティング厚さは許容できるものである。
【００１７】
印刷ヘッド２００は複数のスペーサ２１０も含んでいる。スペーサは以下の機能を提供している。
１）郵便物がペーパガードをたたく衝撃と振動とから印刷ヘッドオリフィスプレートを機械的に遮断する機能。もし遮断されないと、このことは、印刷サイクにおける噴射及び復元サイクルの際の、インクのメニスカスディスラプション引き起こし、かつそれに続くオリフィス孔内側でのプライミングができなくなる。２）ペーパガードにおける郵便物によるこすれと、フェースプレートにおけるベルトによるこすれとにもとずく加熱からの熱的遮断、及びフェースプレートがプリントヘッドから伝導で吸熱することの熱的遮断（プリントヘッドは通常所定の運転温度の２℃の範囲内に制御されている）の機能。
３）新しい空気が、郵便物の有害抗力（parasitic drag）と、ポジティブな空気吸引作用とにより印刷ヘッド面を通過し、その有害抗力と吸引作用との両者は、溶剤蒸気の下降を最小にとどめ、非湿式オリフィスプレートの特性をもたらす機能。
４）インク滴がオリフィスプレートとペーパガードとの間のギャップを架橋することを防止する（これに失敗すると、インクを介しての伝導による熱伝達問題を引き起こす）機能。
５）ペーパガードをオリフィスプレートから機械的に離間し、紙繊維がオリフィス孔に入らない程度に、又は郵便物が正しく接触しているメニスカス面からメニスカスディスラプションをおこさない程度に、郵便物をオリフィス孔に近接しないようになっている機能。
印刷品質の低下を伴なう、紙と印刷ヘッドとのギャップを増大するという観点からすると、これらのスペーサは望ましいものではない。しかしながら、このことは、スペーサがオリフィス最頂部の下方にある、バルジ形オリフィスプレートを使用することにより一部克服されている。
【００１８】
本発明の好適な実施の形態における、印刷ヘッド１５０の構造と、オリフィス洗浄装置の運転及び方法とが、図３及び４を参照することによりより明瞭に理解される。図３は複数のオリフィス２２０を有しているオリフィスプレート２００を示す。
【００１９】
オリフィスプレート２００は、ベース領域２５０と、上流側スロープ２５１と、実質的にオリフィス２２０に垂直な、リッジ最上部におけるオリフィス領域２５２と、下流側スロープ２５３とを含んでいる。ここで使用する場合、上流側は、オリフィスプレートにおける空気源に面する側を意味していて、下流側は空気源から離れた側を意味している。図３に示す本発明の実施の形態において、ベース領域２５０は遷移領域２５４ａにおいて、上流側スロープ２５１へ外向き（上向き）に屈折している。それは、ほこりや繊維がたまる場所となる、死角領域、渦流れ領域、逆流領域、及び乱流領域を利点的に防止するべく決定された。従って、遷移領域２５４ａ及び／又は上流側スロープ２５１の角度は、ゆるやかであることが有利である。従って、オリフィスプレート２００の表面は、オリフィスプレート２２０の上流側において、オリフィス２２０へ垂直な面に対してゆるやかな傾斜角θｕとなっていて、オリフィス２２０の下流側においてゆるやかな傾斜角θｄとなっている。図４に示す本発明の実施の形態において、上流側スロープのθｕと下流側スロープのθｄとは実質的にθｕ≒θｄである。θｕ及びθｄは約４５°未満であるべきで、好ましくは約３０°〜５°である。
【００２０】
このように、上流側スロープ２５１はオリフィス領域２５２に対し、θｕ約４５°未満、好ましくは約３０°〜５°、より好ましくは２０°〜１０°の鋭角を形成すべきである。一つの好適な実施の形態において、θｕは約１５°で遷移領域２５４ｂにおけるコーナは滑らかである。
【００２１】
上流側スロープ２５１は実質的に一定の勾配又は減少する勾配を有する実質的に平坦であって、オリフィス領域２５２をおおって空気の層流を促進するために凸状リッジを形成している。上流側頂部の遷移点２５４ｂにおいて、スロープ２５１は、オリフィス領域２５２における所定の印刷面に対して平らになる。オリフィス領域２５２は下流側上部の遷移点２５４ｃにおいて、下向きに変化する。図３に示す本発明の実施の形態において、この角度は上流側の遷移点２５４ｂにおける角度に比較してよりゆるやかなものである。下流側スロープ２５３はオリフィス２２０への垂直線に対し約４５°未満であるべきであって、θｄは約３０°〜約５°、より好ましくは約１５°〜約５°である。一つの好適な実施の形態においてθｄは約１０°である。
【００２２】
図３及び４はオリフィス２２０から矢印Ａ方向に走行している郵便物１７０へ噴射されているインク滴３１０を示していて、ペーパガード１９０とスペーサ２１０とが郵便物１７０をオリフィス２２０から所定距離だけ離間している。郵便物１７０とオリフィス２２０との間の距離を小さくするに従って、印刷精度及び品質は向上できることに注目すべきである。好適な印刷ギャップは約０．１２７mm（０．００５in）未満、より好ましくは約０．０７６mm（０．００３in）未満又は約０．０５１mm（０．００２in）未満である。
【００２３】
プリントヘッド１５０は矢印方向Ｂにポジティブな空気流れを提供するための空気マニホールド３５０を備えている。空気は空気マニホールド３５０から空気バランス用マニホールド３５１、ベーン無し供給スロット３５２へ流れる。空気供給スロット３５２は好ましくはオリフィス２２０列全体に沿っている。ベーン無し空気供給スロット３５２を出た後、空気はプレート２００のオリフィス領域２５２を覆って通過し、オリフィス開口部２２０から多量のほこりや残渣粒子３７０を吹き飛ばす。
【００２４】
郵便物１７０とオリフィスプレート２００特にオリフィス領域２５２との間に空気の層流が存在するような印刷装置１００は、オリフィス２２０及びその周辺を清澄に保持することに関して最も有利な結果をもたらすことが判明した。
【００２５】
図４に示す本発明の他の好適な実施の形態における印刷用装置は、図３と同じく、矢印Ａの方向にペーパガード１９０とスペーサ２１０とを通過した郵便物１７０へ、インク滴３１０を噴射している。図３に示す実施の形態と同様に、空気マニホールド３５０は空気をオリフィス２２０をおおって流している。しかしながら、本発明の実施の形態において、真空マニホールド３６０は空気のほこり及びインク粒子３６０を処理するべく、ベーン無し真空スロット３６２へ吸い込むようになっている。
【００２６】
オリフィスプレート２００は、上流側下部遷移領域２５４ａ′と上流側スロープ２５１′と上流側上部遷移領域２５４ｂ′とオリフィス領域２５２′と下流側上部遷移領域２５４ｃ′と下流側下部遷移領域２５４ｄとを備えている。遷移領域２５４ａ′及び２５４ｂ′と、上流側スロープ２５１′とは図３における要素２５４ａ，２５４ｂ及び２５１とそれぞれ同類であってもよい。本発明の実施の形態において、遷移領域２５４ａ′及び２５４ｄ′における角度と遷移領域２５４ｂ′及び２５４ｃ′における角度もまた実質的に等しいことがわかるであろう。
【００２７】
これらの角度は等しくする必要もなく、あるいは図３に示す本発明の実施の形態における角度とする必要もないことに注意すべきである。上部又は下部との表示は単に図を参照するためのものであって、印刷ヘッドはインクを上向き、下向き、横向き又はそれらの間のいずれの角度で噴射するべく位置決めして組立てられてもよい。
【００２８】
圧力マニホールド３５０を通過する空気のゲージ圧力は所望する圧力、利点的には約３４４．７kPa （約５０psi ）に制御されてもよい。圧力は、約６．８９kPa （約１psi ）〜約２０６．８kPa （約３０psi ）、より好ましくは２０．７kPa （約３psi ）〜約１３７．９kPa （約２０psi ）の範囲である。真空マニホールド３６０は、装置の形状及び構造、並びに特定の用途に応じて異なるレベルの真空度で操作することができる。一般に約７５９．５mm（約２９．９in）Hg未満の真空度で使用され、好ましくは約６３５mm（約２５in）Hg未満、利点的には約２５．４mm（１in）〜約５０８mm（約２０in）Hgの範囲である。
【００２９】
高くなっているリッジにオリフィス２２０を配置する利点は、スペーサ２１０を、オリフィス２２０への垂直面により区切られる境界よりも印刷ヘッドにより近接して延在位置決めできることである。このように、図３及び４に示すように、スペーサ２１０の底面２１０ａはオリフィス領域２２０及び２２０′の下方に延在している。前述したように、マニホールド３５０及び３６０は完全にこの面の印刷ヘッド側とすることができる。従ってオリフィス２２０は空気抜き及び圧力マニホールドよりも印刷基板により近接させることができる。
【００３０】
図５〜８に、複数のオリフィス５２０と上流側スロープ５５１と下流側スロープ５５２とを有している印刷ヘッド・オリフィスプレート５００を示す。上流側スロープ５５１はオリフィス領域５５２に対して約１０°の角度となっている。下流側スロープ５５３はオリフィス領域５５２に対して約１５°の角度となっている。
【００３１】
本発明における印刷ヘッドはオリフィスから下向きへ傾斜している部分を備えた外表面を有していて、その傾斜は空気抜きを構成することのできる角度であり、空気がベーン又は入口又は出口端部の使用なくしてオリフィスプレートを横切ることを可能にしている。このことは渦流れ及び空気の死角領域が発生することを防止する役割りを果している。印刷装置は、印刷用オリフィス内で乱流が発生することを防止するべく構成することもできる。ベーン、角、鋭利な端部、渦流れ、空気の死角領域および乱流はすべてほこり及び繊維のビルドアップをもたらす可能性がある。本発明における構造は、ポジティブな空気マニホールド全体を、オリフィスプレート表面と同一高さで、オリフィス面の下方に配置することができる。
【００３２】
加圧及び／又は真空の組合せと、好ましくは凸形状の滑らかな湾曲面とを使用することにより、本発明における構造体は、空気流路の真正面にはない流体噴射面を清澄にすることができる。このことが洗浄不要の面を提供している。空気マニホールドは都合のよいことに比較的厚いセクションとして作られ、薄いメタル構造体に勝る耐久性の改善が可能となる。本発明における構造体がねじも備えていて、そのねじは、印刷ヘッドの種々の部分を接続しており、露出したままでもよい。このことが、組立と保守を容易なものにしている。
【００３３】
ゆるやかに傾斜している下流側を有する印刷ヘッド面を備えていることは、真空ポートの使用なしに加圧マニホールドからの層流を可能としている。このことが、空気をオリフィス孔の中へ押し込むことによる流体ジェットの詰まり（deprimeing）のような、好ましくない結果をもたらす、圧力変動発生の可能性を低減している。
【００３４】
本発明の実施の形態において、シリコン潤滑剤、シリコングリース、市販のファブリックシリコンベースの防水スプレーといった、種々のシリコンベースの湿式コーティングのような防湿コーティングが印刷ヘッド及び／又はオリフィス面に塗布される。
オリフィスをおおう空気流れは蒸発速度をも早め、微量のインク又は溶剤をより完全に蒸発することができ、インクが湿って印刷ヘッドの表面に沿って広がるどのような傾向をも低減する。本発明における印刷ヘッドは十万枚以上の封筒を印刷する印刷時のような長時間にわたって、ほこりの環境下で印刷を続けることができる。本発明における構造体はさらなる以下の利点を有していて、加圧マニホールドの同一高さの前方位置が、“厚い”郵便物又は他の印刷面により打たれることを回避されていることと、高くなっている薄いシートメタルのマニホールドでスズを使用した構造体より耐久性のある構造体をもたらすこととである。本発明における印刷ヘッドは、ほこり及び／又は紙繊維がたまることによる印刷品質低下なしに、小切手、郵便物等への高速度運転印刷に使用することができる。
【００３５】
本発明の好適な実施の形態において、バルジの形状は翼形の最上面により概略的に近似することができる。翼形に関して、層流におけるはく離点はFaulkmer-Skan の理論式及び数値解を用いて予想することができ（Bertin及びSmith 共着“技術者のための気体力学”１３９〜１５１頁（１９７９年 Prentice Hall刊））、ここに参考として包含するもので提示いたします。郵便物の近傍に近接しているために、翼形近似は郵便物がない場合においてだけ妥当なものとなる。郵便物がある場合、流れ場は変化し（実験的に測定されるように）さらに同様の翼形セクションの使用を変更する必要はない。なぜならはく離データは無限の流れ場を用いて推論されたものだからである。
【００３６】
本発明における好適な実施の形態において、空気流速（Ｖ）は層流であって、実質的にｈ2 ΔＰ／１２μＬに等しい。上式においてｈは空気スロット高さに等しく、Ｌはその長さで、μは空気の粘性であり、ΔＰは空気流により発生する圧力差である。
【００３７】
本発明における一つの実施の形態において、空気流れは開放空気において、オリフィスプレートの端部におけるそのピークが約４．５ｍ／ｓと計測された。静止した封筒がある場合空気流速は約１ｍ／ｓに減少し、封筒が通常の３ｍ／ｓで移動すると、空気流速は印刷ヘッド面を約３〜４ｍ／ｓで横切ることが判明した。集じん装置の理論から二つの半径と傾斜面とを使用することは、局所的な半径方向の空気流れを発生し、空気流れを約５．８７mm（約０．２３１in）の半径を有する面周囲で２５°〜３０°曲げようとする傾向がある。ほこり粒子が空気流れの中に捕捉されると、半径方向の加速度は、ほこり粒子に２７８ｇの重力を作用する。
【００３８】
バルジ形状用の上記基準を用いて、バルジは：
１）空気流れが“曲りの周囲を通過する場合”はく離しないように十分広くてかつ勾配の変化が十分にゆるやかであること、
２）ほこり及び破片を印刷ヘッドから取り去るために、半径方向加速度成分を有するに十分なように鋭利であること、
３）空気流れの速度は実質的に基板の移動速度と適切に合致していること（このことは、適切な印刷品質を維持するために、ヘッドのインク滴からインク滴のテールを分離するのに有効であることが判明した）、
４）マニホールドの空気流れ出口は、空気がバルジ周囲で曲る以前に空気の速度と加速度とに影響を与えないために（オリフィスプレートと空気との間における粘性力により）、曲りの端部に適切に近接している必要があることである。
【００３９】
空気流れスロットからオリフィスプレート端部への速度勾配を計測することは、はく離が発生し死角領域をもたらすかどうかを決定するのに役立つことが確認された。したがって、もし非常に大きな速度減少が生じると、恐らく死角が発生する。
【００４０】
表１に示す以下の関係も、印刷ギャップと基板速度との関係で測定された。
【表１】
0004213419.tif 000002
【００４１】
このように、以上の説明で明瞭になった前述の目的は十分に達成されていて、前述の構造及び方法は、本発明の精神と範囲とを逸脱することなく変更されてもよくて、前述の説明に含まれあるいは添付図面に示されたすべての事項は、例示用のものであって限定することを意図するものではない。
【００４２】
前述の特許請求の範囲は、ここに記載した本発明における一般的かつ特定的な形態のすべて、及び本発明における範囲の用語上の問題として含まれると言えるものすべてを保護することを意図しているものである。
【図面の簡単な説明】
【図１】図１は本発明の好適な実施の形態における流体噴射装置の概略斜視図である。
【図２】図２は図１における部分２の拡大図であって、本発明の好適な実施の形態における流体噴射ヘッドを示している。なお縮尺は関係ない。
【図３】図３は図２における線３−３で切断したヘッドの概略断面図である。
【図４】図４は本発明のもう一つの実施の形態における図２において線３−３で切断したヘッドの概略断面図である。
【図５】図５は本発明の好適な実施の形態におけるインク噴射ヘッドオリフィスの斜視図である。
【図６】図６は図５における印刷ヘッド構造体の平面図である。
【図７】図７は図５における印刷ヘッド構造体の側面図である。
【図８】図８は図７における印刷ヘッド構造体の部分８の拡大側面図である。
【符号の説明】
１００…印刷装置
１５０…印刷ヘッド
２００…オリフィスプレート
２１０…スペーサ
２２０…オリフィス
２５０…ベース領域
２５１…上流側スロープ
２５２…オリフィス領域
２５３…下流側スロープ
３１０…インク滴
３５０…空気マニフォールド
【図１】
0004213419.tif 000003
【図２】
0004213419.tif 000004
【図３】
0004213419.tif 000005
【図４】
0004213419.tif 000006
【図５】
0004213419.tif 000007
【図６】
0004213419.tif 000008
【図７】
0004213419.tif 000009
【図８】
0004213419.tif 000010